(57)【要約】【課題】衛生設備や間仕切壁を所望の位置に容易に設置することができる衛生設備ユニットおよび衛生設備ユニットが設置された住居構造を提供する。【解決手段】建物１１の居住空間１２に設置されて、ユニットバス２１を含む複数の衛生設備２，２…と、衛生設備２，２…間の間仕切壁と、が設けられた衛生設備ユニット１Ａにおいて、ユニットバス２１の周囲に第１支持部材４，４…が備えられ、第１支持部材４，４…の所望の位置に、ユニットバス２１以外の衛生設備２，２…および間仕切壁の壁仕上げ材３１を固定可能な第１固定部材５が設けられている。【選択図】図２
2015086596.tif 000002
【特許請求の範囲】
【請求項１】
建物の居住空間に設置されて、ユニットバスを含む複数の衛生設備と、該衛生設備間の間仕切壁と、が設けられた衛生設備ユニットにおいて、
前記ユニットバスの周囲に第１支持部材が備えられ、
該第１支持部材の所望の位置に、前記ユニットバス以外の衛生設備および前記間仕切壁の壁仕上げ材を固定可能な第１固定部材が設けられていることを特徴とする衛生設備ユニット。
【請求項２】
前記ユニットバス以外の衛生設備は、前記第１固定部材を介して前記第１支持部材に片持ち支持されていることを特徴とする請求項１に記載の衛生設備ユニット。
【請求項３】
前記第１支持部材に固定可能な第２支持部材が備えられ、
該第２支持部材の所望の位置に、前記ユニットバス以外の衛生設備および前記間仕切壁の壁仕上げ材を固定可能な第２固定部材が設けられていることを特徴とする請求項１または２に記載の衛生設備ユニット。
【請求項４】
前記ユニットバス以外の衛生設備は、前記第２固定部材を介して前記第２支持部材に片持ち支持されていることを特徴とする請求項３に記載の衛生設備ユニット。
【請求項５】
前記衛生設備の排水管は、一か所に集約されていることを特徴とする請求項１乃至４のいずれか１項に記載の衛生設備ユニット。
【請求項６】
前記衛生設備の排水管と前記建物の排水本管との間には、排水ポンプが設けられていることを特徴とする請求項１乃至５のいずれか１項に記載の衛生設備ユニット。
【請求項７】
前記排水ポンプは、並列して２台設けられていることを特徴とする請求項６に記載の衛生設備ユニット。
【請求項８】
前記排水ポンプは、電動の圧送排水機構と、手動の圧送排水機構と、を備え、電動による排水の圧送と、手動による排水の圧送とを切り替え可能であることを特徴とする請求項６または７に記載の衛生設備ユニット。
【請求項９】
前記排水ポンプに電源を供給可能なバッテリが設けられていることを特徴とする請求項６乃至８のいずれか１項に記載の衛生設備ユニット。
【請求項１０】
前記居住空間内において移動可能であることを特徴とする請求項１乃至９のいずれか１項に記載の衛生設備ユニット。
【請求項１１】
請求項１乃至１０のいずれか１項に記載された衛生設備ユニットが、居住空間の中央部に設けられているとともに、該居住空間の壁面と前記衛生設備ユニットとの間に使用者が通行可能な間隔が設けられていることを特徴とする住居構造。
【発明の詳細な説明】
【技術分野】
【０００１】
本発明は、浴室、トイレ、キッチン、洗面台などの衛生設備を備え、室内に設置される衛生設備ユニットおよび衛生設備ユニットが設置された住居構造に関する。
【背景技術】
【０００２】
従来、居住空間において、浴室、トイレ、キッチン、洗面台などの衛生設備（水廻り設備）は、それぞれ独立して設置されている間取りが一般的であるが、これらの衛生設備を集約して設置する間取りも知られている（例えば、特許文献１および２参照）。
このように、衛生設備を集約する場合においても、各衛生設備に対してそれぞれ個別に給水管および排水管を接続し、トイレと浴室との間のように衛生設備が配置された空間の間には間仕切壁が設けられている。
【先行技術文献】
【特許文献】
【０００３】
【特許文献１】特開２０１１-０４７２６１号公報
【特許文献２】特開２０１０-２４２３８０号公報
【特許文献３】特開２０００-０５４６６３号公報
【発明の概要】
【発明が解決しようとする課題】
【０００４】
しかしながら、衛生設備を集約する場合においても、各衛生設備を所望の位置に固定し各衛生設備に対して給水管および排水管を接続する必要があるととともに、衛生設備が設置された空間の間仕切り壁（例えば浴室やトイレの間仕切壁など）を施工する必要があり、工期や手間がかかっている。
【０００５】
本発明は、上述する問題点に鑑みてなされたもので、衛生設備や間仕切壁を所望の位置に容易に設置することができる衛生設備ユニットおよび衛生設備ユニットが設置された住居構造を提供することを目的とする。
【課題を解決するための手段】
【０００６】
上記目的を達成するため、建物の居住空間に設置されて、ユニットバスを含む複数の衛生設備と、該衛生設備間の間仕切壁と、が設けられた衛生設備ユニットにおいて、前記ユニットバスの周囲に第１支持部材が備えられ、該第１支持部材の所望の位置に、前記ユニットバス以外の衛生設備および前記間仕切壁の壁仕上げ材を固定可能な第１固定部材が設けられていることを特徴とする。
【０００７】
本発明では、第１固定部材が、ユニットバスの周囲に設けられた第１支持部材の所望の位置に配され、ユニットバス以外の衛生設備および間仕切壁の壁仕上げ材を固定可能に構成されていることにより、衛生設備やユニットバスの周囲の間仕切壁を所望の位置に容易に設置することができる。
また、第１支持部材に第１固定部材を介してユニットバス以外の衛生設備や壁仕上げ材を固定するため、在来工法を用いて建物の躯体に衛生設備や壁仕上げ材を固定する場合と比べて、躯体の補強工事などが必要なく、工事を簡便化することができて、工期短縮とコスト削減を図ることができる。
また、第１支持部材が、ユニットバスの周囲の間仕切壁の下地材を兼ねるため、ユニットバスの周囲の間仕切壁を個別に設ける場合と比べて、ユニットバスの周囲の間仕切壁の工事を簡便化することができて、工期短縮とコスト削減を更に図ることができる。
【０００８】
また、本発明に係る衛生設備ユニットでは、前記ユニットバス以外の衛生設備は、前記第１固定部材を介して前記第１支持部材に片持ち支持されていることが好ましい。
このような構成とすることにより、衛生設備は建物の躯体に固定されることがないため、建物の躯体に補強材を設けるなどの工事を行う必要がなく、衛生設備を容易に設置することができる。
【０００９】
また、本発明に係る衛生設備ユニットでは、前記第１支持部材に固定可能な第２支持部材が備えられ、該第２支持部材の所望の位置に、前記ユニットバス以外の衛生設備および前記間仕切壁の壁仕上げ材を固定可能な第２固定部材が設けられていることが好ましい。
このような構成とすることにより、第１支持部材に第２支持部材を固定すれば、第２固定部材が第２支持部材の所望の位置に配され、ユニットバス以外の衛生設備や間仕切壁の壁仕上げ材を固定可能に構成されているため、衛生設備や間仕切壁を所望の位置に容易に設置することができる。
また、第１支持部材および第２支持部材に対して、衛生設備や壁仕上げ材を固定することができるため、衛生設備や間仕切壁の配置を多様化することができる。
【００１０】
また、本発明に係る衛生設備ユニットでは、前記ユニットバス以外の衛生設備は、前記第２固定部材を介して前記第２支持部材に片持ち支持されていることが好ましい。
このような構成とすることにより、衛生設備は建物の躯体に固定されることがないため、建物の躯体に補強材を設けるなどの工事を行う必要がなく、衛生設備を容易に設置することができる。
【００１１】
また、本発明に係る衛生設備ユニットでは、前記衛生設備の排水管が一か所に集約されている構成とすることが好ましい。
このような構成とすることにより、配管工事を簡便化することができて、工期短縮およびコスト削減を図ることができる。
また、維持管理やメンテナンス、修理なども一か所で行うことができるため、容易に行うことができる。
【００１２】
また、本発明に係る衛生設備ユニットでは、前記排水管と前記建物の排水本管との間には、排水ポンプが設けられている構成とすることが好ましい。
このような構成とすることにより、排水ポンプが排水本管へ排水を圧送するため、排水ポンプから排水本管までの排水管径を小さくすることができるとともに、排水を流すための排水勾配を確保できない場合にも、排水を確実に流すことができる。
【００１３】
また、本発明に係る衛生設備ユニットでは、前記排水ポンプは、並列して２台設けられている構成としてもよい。
このような構成とすることにより、２台の排水ポンプのうち一方の排水ポンプで排水を排水本管に圧送し、一方の排水ポンプの容量がオーバーしたら、他方の排水ポンプで排水を排水本管に圧送できるため、いずれかの排水ポンプによって常に排水を排水本管に圧送することができる。
また、交互に使用することにより排水ポンプの長寿命化を図ることができる。更に、一方が故障した際にも他方の排水ポンプを使用することができ、確実に排水することができる。
【００１４】
また、本発明に係る衛生設備ユニットでは、前記排水ポンプは、電動の圧送排水機構と、手動の圧送排水機構と、を備え、電動による排水の圧送と、手動による排水の圧送とを切り替え可能である構成としてもよい。
このような構成とすることにより、非常時など電源を利用できない場合においても、手動で排水を排水本管へ流すことができる。
【００１５】
また、本発明に係る衛生設備ユニットでは、前記排水ポンプに電源を供給可能なバッテリが設けられている構成としてもよい。
このような構成とすることにより、非常時など電源を利用できない場合においても、バッテリから圧送排水ポンプに電源を供給することで所定の時間は排水を排水本管へ流すことができる。
【００１６】
また、本発明に係る衛生設備ユニットでは、前記居住空間内において移動可能である構成としてもよい。
このような構成とすることにより、居住空間における衛生設備の位置を容易に変更することができる。このため、居住者や生活スタイルに応じて居住空間の間取りを容易に変えることができる。
【００１７】
また、本発明に係る住居構造では、上記の衛生設備ユニットが、居住空間の中央部に設けられているとともに、該居住空間の壁面と前記衛生設備ユニットとの間に使用者が通行可能な間隔が設けられていることを特徴とする。
【００１８】
このような構成とすることにより、使用者が衛生設備ユニットの周囲を通行することができるため、衛生設備ユニット（水廻り）へのアクセスを良くすることができ、家事動線を短くすることができる。
また、衛生設備ユニットの周囲に空間が形成されるため、この空間を光が透過するとともに、空気（風）も通るため、衛生設備ユニットが設置された居住空間の光環境および空気環境を良くすることができる。
【発明の効果】
【００１９】
本発明による衛生設備ユニットによれば、第１固定部材が、ユニットバスの周囲に設けられた第１支持部材の所望の位置に配され、ユニットバス以外の衛生設備および間仕切壁の壁仕上げ材を固定可能に構成されていることにより、衛生設備やユニットバスの周囲の間仕切壁を所望の位置に容易に設置することができる。
また、第１支持部材に第１固定部材を介してユニットバス以外の衛生設備や壁仕上げ材を固定するため、在来工法を用いて建物の躯体に衛生設備や壁仕上げ材を固定する場合と比べて、躯体の補強工事などが必要なく、工事を簡便化することができて、工期短縮とコスト削減を図ることができる。
また、第１支持部材が、ユニットバスの周囲の間仕切壁の下地材を兼ねるため、ユニットバスの周囲の間仕切壁を個別に設ける場合と比べて、ユニットバスの周囲の間仕切壁の工事を簡便化することができて、工期短縮とコスト削減を更に図ることができる。
【００２０】
また、本発明による住居構造によれば、衛生設備ユニット（水廻り）へのアクセスを良くすることができ、家事動線を短くすることができる。
また、衛生設備ユニットの周囲が空いていることにより、光が透過可能であるとともに、空気も流通するため、衛生設備ユニットが設置された居住空間の光環境および空気環境を良くすることができる。
【図面の簡単な説明】
【００２１】
【図１】本発明の第１実施形態による衛生設備ユニットの一例を示す斜視図である。
【図２】図１の分解斜視図である。
【図３】ユニットバスの周囲に設けられた第１支持部材および第１固定部材を説明する図である。
【図４】第１支持部材および第１固定部材を説明する図である。。
【図５】第１支持部材と第１固定部材との連結を説明する図である。
【図６】居住空間に衛生設備ユニットが配置された住居構造を説明する図である。
【図７】図６と異なる位置に衛生設備ユニットが配置された居住構造を説明する図である。
【図８】第２実施形態による衛生設備ユニットを説明する図である。
【発明を実施するための形態】
【００２２】
（第１実施形態）
以下、本発明の第１実施形態による衛生設備ユニットおよび居住構造について、図１乃至図７に基づいて説明する。
図１に示すように、第１実施形態による衛生設備ユニット１Ａは、建物（住居）１１の居住空間１２に設置されていて、ユニットバス２１、トイレ２２、キッチン２３、洗面台２４、洗濯機用給排水設備（不図示）などの水廻りの衛生設備２，２…と、これらの衛生設備２，２…が設けられるスペースを仕切る間仕切壁３と、が集約して設けられている。
【００２３】
図２に示すように、衛生設備ユニット１Ａは、ユニットバス２１の周囲に設けられた複数の第１支持部材４と、第１支持部材４に取り付けられてユニットバス２１以外の衛生設備２，２…や間仕切壁３の壁仕上げ材３１が固定可能な第１固定部材５と、第１支持部材４または第１支持部材４に取り付けられた第１固定部材５に固定可能な第２支持部材６と、第２支持部材６に取り付けられてユニットバス２１以外の衛生設備２，２…や間仕切壁３の壁仕上げ材３１が固定可能な第２固定部材７と、を備えている。
また、衛生設備ユニット１Ａは、各衛生設備２，２…の排水管が１か所に集約されて建物１１の排水本管（不図示）に接続されているとともに、各衛生設備２，２…の給水管が一か所に集約されて建物１１の給水本管（不図示）に接続されている。
【００２４】
図２および図３に示すように、ユニットバス２１は、浴槽、洗い場などを備える一般に流通している公知のもので構成され、建物１１の床スラブの上部に設置された架台２１ａ（図３参照）の上部に設置されている。
本実施形態のユニットバス２１は、幅寸法（図３の矢印Ａの方向の寸法）が１８００ｍｍ、奥行き寸法（図３の矢印Ｂの方向の寸法）が１４００ｍｍとなるように製造されている。
【００２５】
図３に示すように、第１支持部材４は、幅方向の両端部に設けられ高さ方向に延在する一対の縦枠部４１，４１と、上端部および下端部に設けられ幅方向に延在する一対の横枠部４２，４２とが、その外形が矩形となるように組まれた枠体で、幅寸法が９００ｍｍに形成されたパターンと５００ｍｍに形成されたパターンとから構成されている。このように、第１支持部材４は、複数のパターンに形成されている。
また、第１支持部材４は、高さ寸法が２１００ｍｍで、ユニットバス２１（図１参照）の高さ寸法以上で、居住空間１２の天井高よりも低い形状に形成されている。
【００２６】
第１支持部材４は、ユニットバス２１の周囲を囲むように配列されていて、ユニットバス２１の幅方向Ａには、幅寸法が９００ｍｍの第１支持部材４（４Ａ）が２つ配列され、ユニットバス２１の奥行き方向Ｂには、幅寸法が９００ｍｍの第１支持部材４（４Ａ）と、幅寸法が５００ｍｍの第１支持部材４（４Ｂ）とが１ずつ配列されている。
【００２７】
また、第１支持部材４，４…は、下端部４ａ（下側の横枠部４２）がユニットバス２１の架台２１ａとビス（不図示）で連結されている。このため、第１支持部材４の下側の横枠部４２には、連結用のビスが挿通するビス孔（不図示）が形成されている。
また、隣り合う第１支持部材４，４もビスで連結されていて、一対の縦枠部４１，４１には連結用のビスが挿通するビス孔（不図示）が形成されている。
なお、第１支持部材４とユニットバス２１の架台２１ａとの連結、および、隣り合う第１支持部材４，４どうしの連結は、ビスによる連結以外の連結としてもよい。例えば、連結する部材の一方に爪部が形成され、他方にこの爪部が嵌合する嵌合孔が形成され、爪部と嵌合孔とが互いに嵌合することで部材同士が嵌合するように構成されていてもよく、この他の連結部材を用いて連結してもよい。
【００２８】
図４に示すように、第１支持部材４には、衛生設備２，２…や壁仕上げ材３１を固定するための第１固定部材５が取り付け可能に構成されている。
第１固定部材５は、水平方向に延在する部材で、一方の端部５ａが第１支持部材４の一対の縦枠部４１，４１の一方の縦枠部４１に連結可能で、他方の端部５ｂが他方の縦枠部４１に連結可能に構成されている。第１固定部材５は、１つの第１支持部材４に対して複数設置可能に構成されている。
【００２９】
これらの第１固定部材５と縦枠部４１とは、ビスなどで連結されている。
そして、一対の縦枠部４１，４１には、それぞれ高さ方向に所定の間隔をあけて複数のビス孔４１ａが形成されていて、所定の高さにおいて第１固定部材５が取り付けできるように構成されている。このため、第１固定部材５は、固定される衛生設備２，２…や壁仕上げ材３１（図２参照）の高さに対応した高さに設置される。
また、図５に示すように、本実施形態では、第１固定部材５と縦枠部４１との連結部分に、第１固定部材５と縦枠部４１との連結を補強するためのＬ字状の補強金具５１が設けられている。
【００３０】
図２に戻り、第２支持部材６は、第１支持部材４と同様に、幅方向の両端部に設けられ高さ方向に延在する一対の縦枠部６１，６１と、高さ方向の両端部に設けられ幅方向に延在する一対の横枠部６２，６２とがその外形が矩形となるように組まれた枠体で、幅寸法が９００ｍｍに形成されたパターンと５００ｍｍに形成されたパターンとから構成されている。このように、第２支持部材６も、第１支持部材４と同様に複数のパターンに形成されている。
【００３１】
第２支持部材６は、第１支持部材４と直接連結可能であるとともに、第１支持部材４に取り付けられた第１固定部材５に固定可能に構成されている。
第２支持部材６が第１支持部材４と直接連結される場合は、第２支持部材６の縦枠部６１と、第１支持部材４の縦枠部４１とが連結されるように構成されている。
また、第２支持部材６は、衛生設備２，２…や壁仕上げ材３１を固定可能な第２固定部材７が取り付け可能に構成されている。
なお、第２固定部材７は、第１固定部材５と同様の部材で構成されている。
また、第２支持部材６は、他の第２支持部材６と連結可能であるとともに、他の第２支持部材６に取り付けられた第２固定部材７に固定可能に構成されている。
【００３２】
本実施形態では、ユニットバス２１の周囲に複数の第１支持部材４，４…が配置され、第１支持部材４，４…と連続して複数の第２支持部材６，６…が配置されている。
そして、第１支持部材４，４…に第１固定部材５，５…が取り付けられて、、第２支持部材６，６…に第２固定部材７，７…が取り付けられて、これらの第１固定部材５，５…および第２固定部材７，７…に、ユニットバス２１以外の衛生設備２，２…や壁仕上げ材３１が固定されいる。
【００３３】
ここで、第２支持部材６，６…は、下端部６ａが建物１１の床面と当接するように設置されていて、上端部６ｂが第１支持部材４の上端部４ｂと同じ高さとなるように設定されている。
また、ユニットバス２１以外の衛生設備２，２…は、建物１１の床面と所定の間隔をあけて設置されていて、建物１１の床に支持されておらず、第１支持部材４，４…や第２支持部材６，６…に、第１固定部材５，５…や第２固定部材７，７…を介して片持ち支持されている。
【００３４】
本実施形態では、ユニットバス２１の周囲に、トイレスペース２２Ｓ、キッチンスペース２３Ｓ、洗面スペース２４Ｓ、洗濯機設置スペース兼脱衣スペース２５Ｓが形成されている。
また、トイレスペース２２Ｓと隣接して、各衛生設備２，２…の給水管、排水管が集約される配管集約スペース８が設けられている。配管集約スペース８は、トイレスペース２２Ｓから見て、トイレ２２の便器が固定されている第１支持部材４の後側に設けられている。
【００３５】
配管集約スペース８は、建物１１の床下から給水本管、排水本管（いずれも不図示）が取り出されている。なお、給水本管は、建物１１の天井側から取り出されていてもよい。
そして、配管集約スペース８では、各衛生設備２，２…の給水管が給水本管と接続され、各衛生設備２，２…の排水管が排水本管と接続されている。なお、各衛生設備２，２…の給水管と給水本管との間と、各衛生設備２，２…の排水管と排水本管との間には、必要に応じて給水ヘッダや排水ヘッダが設けられている。
【００３６】
また、各衛生設備２，２…の給水管および排水管は、建物１１の床下を通らずに、衛生設備２，２…と建物１１の床面との間や、ユニットバス２１の浴槽の裏側などのデッドスペースを通って、給水本管および排水本管と接続されている。
なお、配管集約スペース８は、各衛生設備２，２…の電気配線が集約し、各衛生設備２，２…の電気配線が建物１１側の電気配線と接続されている構成としてもよい。
また、配管集約スペース８において、下部側に排水管や給水管が設けられている場合、上部側に収納などを構築してもよい。
【００３７】
また、各衛生設備２，２…と対応する換気設備（不図示）は、適宜設けられていて、これらの換気設備のダクト（不図示）は、第１支持部材４および第２支持部材６の上端部よりも上方の高さに設けられていて、建物１１の外部へつながるダクトと接続されている。なお、第１支持部材４および第２支持部材６の上方に、居住空間１２からこれらのダクトが見えることを防止するための目隠し材を設けてもよい。
【００３８】
このように構成された衛生設備ユニット１Ａは、図６に示すように、居住空間１２の壁面１４と離間するように居住空間１２に設置されている。衛生設備ユニット１Ａと壁面１４との間隔は、使用者が通行可能な寸法としている。
また、本実施形態による衛生設備ユニット１Ａは、建物１１の床面上を移動可能に構成されている。このため、衛生設備ユニット１Ａは、ユニットバス２１の架台２１ａ（図３参照）に、床面を走行可能なキャスタ（不図示）が設けられているとともに、ユニットバス２１の架台２１ａを上方に浮かせて衛生設備ユニット１Ａ全体を上方に浮かせるためのエアリフト装置（不図示）を備えている。
【００３９】
また、集約された各衛生設備２，２…の給水管および排水管は、衛生設備ユニット１Ａが床面上を移動するときに、その移動に追従可能に構成されている。例えば、給水管と給水本管との間、および排水管と排水本管との間には、屈曲および伸縮可能な継手管（不図示）が設けられていて、衛生設備ユニット１Ａが移動しても、継手管が屈曲、伸縮することで給水管と給水本管との接続、および排水管と排水本管との接続が遮断されないように構成されている。
【００４０】
そして、居住空間１２において衛生設備ユニット１Ａを移動させるには、ユニットバス２１の架台２１ａが床面まで持ち上がるように、エアリフト装置で衛生設備ユニット１Ａを浮上させ、ユニットバス２１の架台２１ａに設けられたキャスタを走行させて、衛生設備ユニット１Ａを所望の位置に移動させる。
このようにして、衛生設備ユニット１Ａが移動した位置において使用可能となる。
【００４１】
なお、給水管と給水本管との接続、および排水管と排水本管との接続は、遮断可能でもあり、衛生設備ユニット１Ａの移動距離が長く、この移動に対して給水管および排水管が追従できないときには、給水管と給水本管との接続、および排水管と排水本管との接続を遮断するように構成されている。
【００４２】
このため、給水管と給水本管との間には、上記の継手管とは別に給水管と給水本管との接続と遮断を切り替え可能な給水管用可動アーム（不図示）が設けられていて、排水管と排水本管との間には、継手管とは別に排水管と排水本管との接続と遮断とを切り替え可能な排水管用可動アーム（不図示）が設けられている。
そして、衛生設備ユニット１Ａを継手管では給水管および排水管が追従できない距離を移動させるときには、まず、給水管用可動アームによって給水管と給水本管との接続を遮断するとともに、排水管用可動アームによって排水管と排水本管との接続を遮断し、衛生設備ユニット１Ａを移動させた後に、給水管と給水本管とを接続するとともに、排水管と排水本管とを接続をする。
【００４３】
次に、上述した第１実施形態による衛生設備ユニット１Ａおよび住居構造の作用について図面を用いて説明する。
第１実施形態による衛生設備ユニット１Ａによれば、第１支持部材４に取り付けられた第１固定部材５および第２支持部材６に取り付けられた第２固定部材７は、ユニットバス２１以外の衛生設備２，２…や壁仕上げ材３１を固定可能に構成されていることにより、ユニットバス２１以外の衛生設備２，２…や間仕切壁３を所望の位置に容易に設置することができる。また、衛生設備２，２…や間仕切壁３の配置を多様化させることができる。
また、ユニットバス２１以外の衛生設備２，２…は、第１固定部材５や第２固定部材７を介して第１支持部材４や第２支持部材６に片持ち支持され、従来のように建物１１の躯体に固定する構成でないため、建物１１の躯体に対して補強工事などを施す必要がなく、設置にかかる工期短縮とコスト削減を図ることができる。
【００４４】
また、第１支持部材４は、間仕切壁３の下地材を兼ねるため、在来工法を用いて間仕切壁３を個別に設ける場合と比べて、間仕切壁３の工事を簡便化することができて、工期短縮とコスト削減を図ることができる。
【００４５】
また、第１支持部材４は、建物１１の床スラブに設置されたユニットバス２１の架台２１ａに固定されていて、第１支持部材４以外の部材は建物１１の躯体に固定されない構成であるため、建物１１の躯体に対する工事が少ないとともに、建物１１の床スラブに対して、ユニットバス２１の架台２１ａの設置向き（水平垂直）が正確であれば、ユニットバス２１以外の衛生設備２，２…や間仕切壁３と建物１１との設置向きとの調整を行う必要がなく、衛生設備ユニット１Ａの設置工事を簡便化することができる。
【００４６】
また、ユニットバス２１以外の衛生設備２，２…は、第１支持部材４や第２支持部材６に片持ち支持されていることにより、ユニットバス２１以外の衛生設備２，２…と床との間に間隔があるため、衛生設備２，２…下部の清掃を行いやすい。
また、衛生設備２，２…が建物１１の躯体に固定されていないことにより、衛生設備ユニット１Ａの移動を容易に行うことができる。
【００４７】
また、衛生設備２，２…の給水管が一か所に集約されているとともに、衛生設備２，２…の排水管が一か所に集約されているとにより、配管工事を簡便化することができて、工期短縮およびコスト削減を図ることができる。
また、給水管および排水管が集約されていることにより、維持管理やメンテナンス、修理などを容易に行うことができる。
【００４８】
また、本実施形態による住居構造では、衛生設備ユニット１Ａが、居住空間１２の中央部に設けられているとともに、居住空間１２の壁面１４との間に使用者が通行可能な間隔をあけて設けられていることにより、衛生設備ユニット１Ａ（水廻り）へのアクセスを良くすることができ、家事動線を短くすることができる。
また、衛生設備ユニット１Ａの周囲が空いていることにより、光が透過可能であるとともに、空気も流通するため、衛生設備ユニット１Ａが設置された居住空間１２の光環境および空気環境を良くすることができる。
また、衛生設備ユニット１Ａでは、居住空間１２内において移動可能であることにより居住空間１２における衛生設備２，２…の位置を容易に変更することができる。このため、居住者や生活スタイルに応じて居住空間１２の間取りを容易に変えることができる。
【００４９】
（第２実施形態）
次に、第２の実施形態について、添付図面に基づいて説明するが、上述の第１実施形態と同一又は同様な部材、部分には同一の符号を用いて説明を省略し、第１実施形態と異なる構成について説明する。
【００５０】
図８に示すように、第２実施形態による衛生設備ユニット１Ｂでは、各衛生設備２，２…の排水を排水本管に圧送するための２台の排水ポンプ９，９が設けられている。
２台の排水ポンプ９，９は互いに連動しているとともに、並列に設置されている。
通常、２台の排水ポンプ９，９のうち一方の排水ポンプ９Ａに衛生設備２，２…の排水が流入し、一方の排水ポンプ９Ａによって衛生設備２の排水が排水本管へ圧送され、排水ポンプに流入する排水量が一方の排水ポンプ９Ａの容量を超えそうになると、自動で他方の排水ポンプ９Ｂへ衛生設備２，２…の排水が流入するように構成されている。
【００５１】
第２実施形態による衛生設備ユニット１Ｂによれば、排水ポンプ９が排水本管へ排水を圧送するため、排水ポンプ９から排水本管までの排水管径を小さくすることができるとともに、排水を流すための排水勾配を確保できない場合にも、排水を確実に流すことができる。
また、２台の排水ポンプ９Ａ，９Ｂが並列して設けられていることにより、一方の排水ポンプ９Ａの容量がオーバーしたとしても、他方の排水ポンプ９Ｂで排水を排水本管へ圧送することができる。
また、交互に使用することにより排水ポンプ９の長寿命化を図ることができる。更に９、一方が故障した際にも他方の排水ポンプ９を使用することができ、確実に排水することができる。
【００５２】
以上、本発明による衛生設備ユニットの実施形態について説明したが、本発明は上記の実施形態に限定されるものではなく、その趣旨を逸脱しない範囲で適宜変更可能である。
例えば、上記の実施形態では、第１支持部材４が一対の縦枠部４１，４１と一対の横枠部４２，４２とを備える枠体で、第１固定部材５が水平方向に延びる部材であるが、第１支持部材４や第１固定部材５の形態は、上記以外でもよい。例えば、第１支持部材４が枠体ではなく面材（パネル材）で構成されていて、第１支持部材４の面に所定の形状の第１固定部材５を介して衛生設備２，２…や壁仕上げ材３１が固定される構成としてもよい。
また、第２支持部材６および第２固定部材７についても同様に、本実施形態以外の形態としてもよい。
また、第１支持部材４および第２支持部材６の寸法については適宜設定されてよい。
【００５３】
また、上記の実施形態では、衛生設備２，２…は、第１固定部材５や第２固定部材７を介して第１支持部材４や第２支持部材６に片持ち支持される構成であるが、建物１１の床面に支持される構成としてもよい。
また、上記の実施形態では、衛生設備ユニット１Ａは、居住空間１２の壁面１４と間隔をあけて設置されているが、居住空間１２の壁面１４と当接するように設けられていてもよい。
【００５４】
また、上記の実施形態では、衛生設備ユニット１Ａは、居住空間１２内を移動可能に構成されているが、建物１１の躯体に固定されて移動できない構成としてもよい。
また、上記の実施形態では、給水管と給水本管との間、および排水管と排水本管との間には、屈曲および伸縮可能な継手管が設けられているが、このような継手管が設けられていなくてもよい。なお、このような継手管に代わって、給水管および排水管を衛生設備ユニット１Ａの移動に追従させるための部材や機構を設けてもよい。
また、上記の実施形態では、給水管と給水本管との間には、給水管用可動アームが設けられていて、排水管と排水本管との間には、排水管用可動アームが設けられているが、このような給水管用可動アームおよび排水管用可動アームが設けられていなくてもよい。なお、このような給水管用可動アームおよび排水管用可動アームを設けずに、給水管と給水本管との接続、および排水管と排水本管との接続を遮断可能としてもよい。
また、上記の実施形態では、第２支持部材６，６…が設けられているが、第２支持部材６，６…が設けられずに第１支持部材４，４…のみが設けられていて、第１支持部材４，４…に衛生設備２，２…と壁仕上げ材３１とが固定されていてもよい。
また、第１支持部材４および第２支持部材６には、第１固定部材５，５…や第２固定部材７，７…を介して収納設備などが固定されてもよい。
【００５５】
また、上記の実施形態では、各衛生設備２，２…の給水管および排水管は、配管集約スペースに集約されているが、集約されていなくてもよい。また、各衛生設備２，２…の給水管が集約されるスペースと、排水管が集約されるスペースとが別々に設けられていてもよい。
【００５６】
また、上記の第２実施形態では、２台の排水ポンプ９，９が並列に設置されているが、１台の排水ポンプ９が設置されている構成としてもよい。
また、排水ポンプ９の機能は任意に設定されてよい。
例えば、排水ポンプ９は、電動の圧送排水機構と手動の圧送排水機構とを備えていて、電動と手動とを切り替え可能に構成されていてもよい。このようにすることにより、停電などの非常時にも手動の圧送排水機構を使用して排水を排水本管へ圧送することができる。
また、排水ポンプ９用の電源を供給可能なバッテリが設けられていて、停電時などの電力が供給できないときにも所定の時間は排水を排水本管へ圧送することができるようにしてもよい。
また、上記の実施形態では、ユニットバス２１は、浴槽、洗い場などを備えるものとしているが、浴槽の無いシャワー室（ユニット）としてもよい。
【符号の説明】
【００５７】
１Ａ，１Ｂ  衛生設備ユニット
２  衛生機器
３  間仕切壁
４  第１支持部材
５  第１固定部材
６  第２支持部材
７  第２固定部材
８  配管集約スペース
９，９Ａ，９Ｂ  排水ポンプ
１１  建物（住居）
１２  居住空間
１４  壁面
２１  ユニットバス
３１  壁仕上げ材
【図１】
2015086596.tif 000003
【図２】
2015086596.tif 000004
【図３】
2015086596.tif 000005
【図４】
2015086596.tif 000006
【図５】
2015086596.tif 000007
【図６】
2015086596.tif 000008
【図７】
2015086596.tif 000009
【図８】
2015086596.tif 000010